(57)【要約】【課題】  振幅変化を伴うデジタル変調方式による無線通信を実施するに際し、復調手段に対し一定レベルの安定した変調信号を確実にかつ高速に供給することのできるＡＧＣ制御方法及びＡＧＣ回路を提供する。【解決手段】  ピーク電圧検出回路は、受信したフレームの制御スロットの無変調信号区間で無変調信号のピークレベルを検索する。ピークレベル値保持回路は、ピークレベル値を保持すると共に、ピークレベル値決定レジスタに書き込む。ＡＧＣアンプは、ピークレベル値決定レジスタに書き込まれているピークレベル値に対応するＡＧＣ制御電圧に基づく自動利得制御を通信が終了するまで継続する。【選択図】      図１
2007329595.tif 000002
【特許請求の範囲】
【請求項１】
制御スロットと通信スロットとを含むフレームを受信した場合に当該制御スロット又は当該通信スロットに対応する受信信号をＡＧＣ制御電圧に応じた増幅利得で増幅するＡＧＣ制御方法であって、
受信したフレームの制御スロットの無変調信号区間で無変調信号のピークレベルを検索して当該ピークレベル値を保持し、
上記無変調信号区間以降に変調信号を受信したときは、上記保持されているピークレベル値に対応する電圧をＡＧＣ制御電圧とし、該ＡＧＣ制御電圧に基づく自動利得制御を通信が終了するまで継続する
ことを特徴とするＡＧＣ制御方法。
【請求項２】
制御スロットと通信スロットとを含むフレームを受信した場合に当該制御スロット又は当該通信スロットに対応する受信信号をＡＧＣ制御電圧に応じた増幅利得で増幅するＡＧＣ制御方法であって、
受信した今回のフレームの制御スロットの無変調信号区間以降に変調信号を受信するときは、当該変調信号を受信する時点から当該制御スロットの終了時点までの期間の当該変調信号の受信レベルの移動平均値を算出して当該移動平均値を保持し、
次回のフレームで通信スロットを受信する場合、当該通信スロットの開始時点から終了時点までの期間については、上記保持されている上記制御スロットに関する上記移動平均値に対応する電圧をＡＧＣ制御電圧とし、該ＡＧＣ制御電圧に基づく自動利得制御を行う
ことを特徴とするＡＧＣ制御方法。
【請求項３】
制御スロットと通信スロットとを含むフレームを受信した場合に当該制御スロット又は当該通信スロットに対応する受信信号をＡＧＣ制御電圧に応じた増幅利得で増幅するＡＧＣ制御方法であって、
受信した今回のフレームの通信スロットの開始時点から終了時点までの期間において受信する変調信号の受信レベルの移動平均値を算出して当該移動平均値を保持し、
受信すべき次回のフレームの通信スロットに関しては、当該通信スロットの開始時点から終了時点までの期間については、上記保持されている上記今回のフレームの通信スロットに関する上記移動平均値に対応する電圧をＡＧＣ制御電圧とし、該ＡＧＣ制御電圧に基づく自動利得制御を行う
ことを特徴とするＡＧＣ制御方法。
【請求項４】
制御スロットと通信スロットとを含むフレームを受信した場合に当該制御スロット又は当該通信スロットに対応する受信信号をＡＧＣ制御電圧に応じた増幅利得で増幅するＡＧＣ回路であって、
受信したフレームの制御スロットの無変調信号区間で無変調信号のピークレベルを検索する検出手段と、
上記検出手段によって検出されたピークレベル値を保持するピークレベル値保持手段と、
上記無変調信号区間以降に変調信号を受信したときは、上記ピークレベル値保持手段によって保持されているピークレベル値に対応する電圧をＡＧＣ制御電圧とし、該ＡＧＣ制御電圧に基づく自動利得制御を通信が終了するまで継続する制御手段と
を有することを特徴とするＡＧＣ回路。
【請求項５】
制御スロットと通信スロットとを含むフレームを受信した場合に当該制御スロット又は当該通信スロットに対応する受信信号をＡＧＣ制御電圧に応じた増幅利得で増幅するＡＧＣ回路であって、
受信した今回のフレームの制御スロットの無変調信号区間以降に変調信号を受信するときは、当該変調信号を受信する時点から当該制御スロットの終了時点までの期間の当該変調信号の受信レベルの移動平均値を算出する算出手段と、
上記算出手段によって算出された移動平均値を保持する移動平均値保持手段と、
次回のフレームで通信スロットを受信する場合、当該通信スロットの開始時点から終了時点までの期間については、上記移動平均値保持手段によって保持されている移動平均値に対応する電圧をＡＧＣ制御電圧とし、該ＡＧＣ制御電圧に基づく自動利得制御を行う制御手段と
を有することを特徴とするＡＧＣ回路。
【請求項６】
制御スロットと通信スロットとを含むフレームを受信した場合に当該制御スロット又は当該通信スロットに対応する受信信号をＡＧＣ制御電圧に応じた増幅利得で増幅するＡＧＣ回路であって、
受信した今回のフレームの通信スロットの開始時点から終了時点までの期間において受信する変調信号の受信レベルの移動平均値を算出する算出手段と、
上記算出手段によって算出された移動平均値を保持する移動平均値保持手段と、
受信すべき次回のフレームの通信スロットに関しては、当該通信スロットの開始時点から終了時点までの期間については、上記移動平均値保持手段によって保持されている移動平均値に対応する電圧をＡＧＣ制御電圧とし、該ＡＧＣ制御電圧に基づく自動利得制御を行う制御手段と、  を有することを特徴とするＡＧＣ回路。
【発明の詳細な説明】
【技術分野】
【０００１】
本発明はＡＧＣ制御方法及びＡＧＣ回路に関し、例えば、制御スロットと通信スロットとを含むフレームを受信した場合に当該制御スロット又は当該通信スロットに対応する受信信号をＡＧＣ制御電圧に応じた増幅利得で増幅するＡＧＣ制御方法及びＡＧＣ回路に適用し得る。
【背景技術】
【０００２】
例えば、送信局などの管理局と受信局などの被管理局とを有する無線システムの中には、図１３に示すようなフレームフォーマットに従って無線通信を行うものもある。
【０００３】
このフレームフォーマットは、図１３に示すように、１フレームは４スロットで構成されており、このようなフレームが繰り返される。フレームの先頭スロット（第１スロット）は制御スロットであり、第２スロットから第４スロットは通信スロットである。
【０００４】
制御スロットのフォーマットは、図１４（ａ）に示すように、無変調信号、同期ワード、制御用データの順でこれらの要素を含んでいる。一方、通信スロットのフォーマットは、図１４（ｂ）に示すように、通信データ、同期ワード、通信データの順でこれらの要素を含んでいる。
【０００５】
制御スロット内の無変調信号は、例えば、ＱＡＭ（直交振幅変調）符号配置で平均レベルとなる符号で送信される。
【０００６】
同期ワードは、制御スロットの場合と通信スロットの場合とでは異なる固定パターンになっている。
【０００７】
図１５は、従来の無線システムの受信局の要部構成を示している。受信局は、電波を受信するアンテナ１と、アンテナ１を介して高周波信号（受信ＲＦ信号）を受信する受信高周波部２と、受信高周波部２から出力された出力信号を中間周波数信号（ＩＦ信号）に変換する受信ＩＦ部３と、受信ＩＦ部３から出力された受信ＩＦ信号の受信レベルが一定になるように所定の増幅率で増幅する増幅部４と、増幅部４から出力された出力信号を復調する復調部（ＤＥＭ部）５と、復調部５から出力された出力信号の信号処理を行う受信信号処理部６とを備えている。なお、増幅部４には、ＡＧＣアンプ又はリミッタアンプが使用される。
【０００８】
送信局と受信局との間で通信を行う場合、フレームの制御スロットの中の制御用データを受け渡すことから始まり、その後、その制御用データに記述されている指定された通信スロットに送信局及び受信局が共に移行し、その次のフレーム以降は、指定された通信スロットにて通信を開始する。
【０００９】
制御スロットの前半では、同期捕捉とＡＧＣ引き込みが早めに安定するように無変調信号が送出される。
【００１０】
無線区間においては、外部環境や両通信装置間の距離などに応じて受信信号の受信レベルが変動するが、受信高周波部２及び受信ＩＦ部３の後段にある復調部（ＤＥＭ部）５は、入力される信号が一定の受信レベルに達していないと、当該入力信号（受信信号）を復調することができない。そのため、一般的には、増幅部４としてＡＣＧアンプやリミッタアンプを用いて、受信信号の受信レベルの一定化を図っている。
【００１１】
なお、図１３及び図１４に示すようなフォーマットに従って無線通信するシステムとしては、非特許文献１及び非特許文献２に記載されたものが知られている。
【非特許文献１】公共業務用デジタル移動通信システム  標準規格  ＲＣＲ  ＳＴＤ−３９Ａ  第二編）、社団法人電波産業会、平成６年２月２８日策定、平成８年９月１８日Ａ改訂
【非特許文献２】ディジタルマイクロ波通信システム、桑原守二 著、企画センター、社団法人電波産業会
【発明の開示】
【発明が解決しようとする課題】
【００１２】
ところで、増幅部４が一定の受信レベルの信号（ＩＦ信号）を復調部（ＤＥＭ部）５に供給するに際し、そのＩＦ信号の受信レベルが一定になって安定するまでの時間が重要となる場合がある。
【００１３】
例えば、基地局から連続に電波が送出されている連続送信（連続受信）のシステムでは、受信信号の受信レベルが安定になるまでの動作に高速性をさほど要求されない。しかし、基地局からバースト的に電波が送出されるシステムの場合は、最初に電波を受信したら直ぐにデータを復調する必要があるため、受信信号の受信レベルが安定になるまでの動作に高速性が要求される。
【００１４】
この高速性が要求される場合においては、ＢＰＳＫ変復調方式、ＱＰＳＫ変復調方式、π／４シフトＱＰＳＫ変復調方式のような位相変復調方式では、一般的にリミッタアンプを使用することにより、受信信号の受信レベルが安定になるまでの動作の高速化を図ることが可能である。
【００１５】
近年、電波の有効利用という観点から、ＱＡＭ変復調方式（多値直交振幅変復調方式）が無線装置で採用されている。ＱＡＭ変復調方式は位相情報と振幅情報の両方が使われるため、リミッタアンプを用いることができず、ＡＧＣアンプを使用することになる。他の振幅変調を伴うデジタル変復調方式でも同様である。
【００１６】
ＡＧＣアンプは受信信号（ＩＦ信号）の受信レベルを検波して、その受信レベルに応じてゲインを可変するものである。
【００１７】
無変調信号の場合は受信信号の受信レベルが一定であることを利用して、検波の感度を敏感になるように設定することにより、高速に動作するＡＧＣアンプを作製可能である。
【００１８】
しかし、ＡＧＣアンプ内の検波構成の検波感度を敏感なままに設定しておいた状態で、ＡＧＣアンプが受信ＩＦ部３からの変調信号（ＩＦ信号）を受信した場合は、データによるレベル変動に反応してしまい、ＡＧＣアンプのゲインが安定せず、復調部５に対して一定レベルの信号を供給することができない。
【００１９】
この問題を解決すべく、検波感度を鈍感の状態に設定した場合は、ＡＧＣアンプにおいては、変調信号の受信レベルが安定するまでに多くの時間を必要とすることになる。そのため、ＡＧＣアンプは、バースト信号を受信するような場合では、データ信号を受信しているにも関わらず、受信レベルが一定値に達していない変調信号を復調部５に送出することになる。復調部５では、ＡＧＣアンプからの変調信号の受信レベルが一定値に達していないので、その変調信号を復調することができず、最初のデータが受信できない現象（データ頭切れ）が発生する。
【００２０】
そのため、無変調信号を受信する場合には、高速モードで引き込ませ（検波感度を敏感にする）、一方、変調信号を受信する場合は、低速モードで引き込ませる（検波感度を鈍感にする）、という具合に、受信信号の種類に応じて高速モードと低速モードとを切り替える方法が採用されることもある。しかし、その切り替える方法や切替タイミングなど技術的な対策が極めて困難であるという問題がある。
【００２１】
そこで、本発明は、高速で安定なＡＧＣ制御を行うことのできるＡＧＣ制御方法及びＡＧＣ回路を提供することを目的とする。
【００２２】
また、本発明は、振幅変化を伴うデジタル変調方式による無線通信を実施するに際し、復調手段に対し一定レベルの安定した変調信号を確実にかつ高速に供給することのできるＡＧＣ制御方法及びＡＧＣ回路を提供することを目的とする。
【課題を解決するための手段】
【００２３】
この課題を解決するために、第１の発明に係るＡＧＣ制御方法は、制御スロットと通信スロットとを含むフレームを受信した場合に当該制御スロット又は当該通信スロットに対応する受信信号をＡＧＣ制御電圧に応じた増幅利得で増幅するＡＧＣ制御方法であって、受信したフレームの制御スロットの無変調信号区間で無変調信号のピークレベルを検索して当該ピークレベル値を保持し、上記無変調信号区間以降に変調信号を受信したときは、上記保持されているピークレベル値に対応する電圧をＡＧＣ制御電圧とし、該ＡＧＣ制御電圧に基づく自動利得制御を通信が終了するまで継続することを特徴とする。
【００２４】
また、第２の発明に係るＡＧＣ制御方法は、制御スロットと通信スロットとを含むフレームを受信した場合に当該制御スロット又は当該通信スロットに対応する受信信号をＡＧＣ制御電圧に応じた増幅利得で増幅するＡＧＣ制御方法であって、受信した今回のフレームの制御スロットの無変調信号区間以降に変調信号を受信するときは、当該変調信号を受信する時点から当該制御スロットの終了時点までの期間の当該変調信号の受信レベルの移動平均値を算出して当該移動平均値を保持し、次回のフレームで通信スロットを受信する場合、当該通信スロットの開始時点から終了時点までの期間については、上記保持されている上記制御スロットに関する上記移動平均値に対応する電圧をＡＧＣ制御電圧とし、該ＡＧＣ制御電圧に基づく自動利得制御を行うことを特徴とする。
【００２５】
さらに、第３の発明に係るＡＧＣ制御方法は、制御スロットと通信スロットとを含むフレームを受信した場合に当該制御スロット又は当該通信スロットに対応する受信信号をＡＧＣ制御電圧に応じた増幅利得で増幅するＡＧＣ制御方法であって、受信した今回のフレームの通信スロットの開始時点から終了時点までの期間において受信する変調信号の受信レベルの移動平均値を算出して当該移動平均値を保持し、受信すべき次回のフレームの通信スロットに関しては、当該通信スロットの開始時点から終了時点までの期間については、上記保持されている上記今回のフレームの通信スロットに関する上記移動平均値に対応する電圧をＡＧＣ制御電圧とし、該ＡＧＣ制御電圧に基づく自動利得制御を行うことを特徴とする。
【００２６】
さらにまた、第４の発明に係るＡＧＣ回路は、制御スロットと通信スロットとを含むフレームを受信した場合に当該制御スロット又は当該通信スロットに対応する受信信号をＡＧＣ制御電圧に応じた増幅利得で増幅するＡＧＣ回路であって、受信したフレームの制御スロットの無変調信号区間で無変調信号のピークレベルを検索する検出手段と、上記検出手段によって検出されたピークレベル値を保持するピークレベル値保持手段と、上記無変調信号区間以降に変調信号を受信したときは、上記ピークレベル値保持手段によって保持されているピークレベル値に対応する電圧をＡＧＣ制御電圧とし、該ＡＧＣ制御電圧に基づく自動利得制御を通信が終了するまで継続する制御手段と、を有することを特徴とする。
【００２７】
また、第５の発明に係るＡＧＣ回路は、制御スロットと通信スロットとを含むフレームを受信した場合に当該制御スロット又は当該通信スロットに対応する受信信号をＡＧＣ制御電圧に応じた増幅利得で増幅するＡＧＣ回路であって、受信した今回のフレームの制御スロットの無変調信号区間以降に変調信号を受信するときは、当該変調信号を受信する時点から当該制御スロットの終了時点までの期間の当該変調信号の受信レベルの移動平均値を算出する算出手段と、上記算出手段によって算出された移動平均値を保持する移動平均値保持手段と、次回のフレームで通信スロットを受信する場合、当該通信スロットの開始時点から終了時点までの期間については、上記移動平均値保持手段によって保持されている移動平均値に対応する電圧をＡＧＣ制御電圧とし、該ＡＧＣ制御電圧に基づく自動利得制御を行う制御手段とを有することを特徴とする。
【００２８】
さらに、第６の発明に係るＡＧＣ回路は、制御スロットと通信スロットとを含むフレームを受信した場合に当該制御スロット又は当該通信スロットに対応する受信信号をＡＧＣ制御電圧に応じた増幅利得で増幅するＡＧＣ回路であって、受信した今回のフレームの通信スロットの開始時点から終了時点までの期間において受信する変調信号の受信レベルの移動平均値を算出する算出手段と、上記算出手段によって算出された移動平均値を保持する移動平均値保持手段と、受信すべき次回のフレームの通信スロットに関しては、当該通信スロットの開始時点から終了時点までの期間については、上記移動平均値保持手段によって保持されている移動平均値に対応する電圧をＡＧＣ制御電圧とし、該ＡＧＣ制御電圧に基づく自動利得制御を行う制御手段とを有することを特徴とする。
【発明の効果】
【００２９】
本発明に係るＡＧＣ制御方法及びＡＧＣ回路によれば、受信した変調信号に対しては、その変調信号に先立って受信した無変調信号のピークレベル値に基づくＡＧＣ制御電圧に応じた増幅利得で増幅するようにしているので、高速で安定なＡＧＣ制御を行うことができる。
【００３０】
また、本発明に係るＡＧＣ制御方法及びＡＧＣ回路によれば、受信すべき次回のフレームの通信スロットの開始時点から終了時点までの期間については、受信した今回のフレームの制御スロット又は通信スロットの変調信号に関する移動平均値に基づくＡＧＣ制御電圧に応じた増幅利得で増幅するようにしているので、高速で安定なＡＧＣ制御を行うことができ、しかも、振幅変化を伴うデジタル変調方式による無線通信を実施するに際し、復調手段に対し一定レベルの安定した変調信号を確実にかつ高速に供給することができる。
【発明を実施するための最良の形態】
【００３１】
以下、本発明を実施するための最良の形態を、図面を参照しつつ、さらに具体的に説明する。ここで、添付図面において同一の構成要素には同一の符号を付しており、また、重複した説明は省略されている。なお、ここでの説明は本発明が実施される最良の形態であることから、本発明は当該実施形態に限定されるものではない。
【００３２】
（Ａ）第１の実施形態
第１の実施形態では、送信局などの管理局と受信局などの非管理局とを有する無線システムが、図１３及び図１４に示したようなフォーマットに従ってＱＡＭ変調方式（多値直交振幅変復調方式）による無線通信を実施する場合を想定している。特に、このような無線システムの受信局側の構成、処理について説明する。
【００３３】
（Ａ−１）第１の実施形態の構成
図２は、第１の実施形態に係るＡＧＣ回路を有する受信局の概略構成を示している。
【００３４】
図２に示す受信局は、図１５に示した従来の受信局の構成において、増幅部に相当するＡＧＣ又はリミッタアンプ（４）を削除し、ＡＧＣ回路１０を追加した構成になっている。図２において、図１５に示した構成要素と同様の機能を果たす部分には同一符号を付している。
【００３５】
ＡＧＣ回路１０は、制御スロットと通信スロットとを含むフレームを受信した場合に当該制御スロット又は当該通信スロットに対応する受信信号をＡＧＣ制御電圧に応じた増幅利得で増幅する。
【００３６】
図１は、第１の実施形態に係るＡＧＣ回路１０の構成を示している。
【００３７】
図１に示すように、ＡＧＣ回路１０は、ピーク電圧検出回路１１と、ピークレベル値保持回路１２と、ピークレベル値決定レジスタ１３と、同期検出回路１４と、ＡＧＣアンプ１５とを有している。
【００３８】
受信ＩＦ部３から出力された受信ＩＦ信号は、ＡＧＣアンプ１５及びピーク電圧検出回路１１に入力される。ＡＧＣアンプ１５から出力された出力信号は、復調部（ＤＥＭ部）５及び同期検出回路１４に入力される。
【００３９】
ピーク電圧検出回路（検出手段）１１は、制御スロットを受信する前でも常に動作するように設定されており、受信信号（受信ＩＦ信号）のピークレベル（ピーク電圧）を検出する。すなわち、送信局からの電波を受信せず、受信ＩＦ部３からの受信ＩＦ信号が雑音信号のみを示している場合であっても、受信信号（このときは雑音信号となる）のピークレベルの検出が行われる。
【００４０】
ピーク電圧検出回路１１は、受信ＩＦ部３からの受信ＩＦ信号に関し、制御スロットの無変調信号区間で無変調信号のピークレベル（ピーク電圧）を検索し、この検出したピークレベル値（ピーク電圧値）を、ピークレベル値保持回路１２に向けて出力する。
【００４１】
この場合、現在のピークレベル値がＰＬ１である場合、ピークレベルを検出した結果が、ピークレベル値ＰＬ１以下のピークレベル値のときは、この値はピークレベル値保持回路１２に向けて出力されない。一方、ピークレベル値ＰＬ１を超える例えばピークレベル値ＰＬ２のときは、この値がピークレベル値保持回路１２に向けて出力される。
【００４２】
ピークレベル値保持回路（ピークレベル値保持手段）１２は、図示しない保持部を有し、同期検出回路１４からの後述する同期ワード検出信号を受け取るまでの期間、ピーク電圧検出回路１１からのピークレベル値を所定の時間Ｔ０分、保持部（図示せず）に保持すると同時に、当該ピークレベル値をピークレベル値決定レジスタ１３に書き込む。
【００４３】
なお、ピークレベル値保持回路１２には、所定時間Ｔ０中の複数のピークレベル値が保存されていることになる。また、ピークレベル値決定レジスタ１３の値は、１つのピークレベル値（ピーク電圧値）であり、ピークレベル値保持回路１２にピークレベル値が保持される毎に、更新されることになる。
【００４４】
また、ピークレベル値保持回路１２は、同期検出回路１４からの後述する同期ワード検出信号を受け取った場合は、その同期ワード検出信号をトリガとして、自己が保持しているピークレベル値の中から一定時間Ｔ分前のピークレベル値をピークレベル値決定レジスタ１３に書き込む。ここで、「一定時間Ｔ＜所定時間Ｔ０」の関係が成立している。
【００４５】
ピークレベル値決定レジスタ１３は、ピークレベル値保持回路１２によって書き込まれた値（ピークレベル値）に対応する電圧を出力する。この電圧は、ＡＧＣアンプ１５の制御電圧（以下「ＡＧＣ制御電圧」という。）として使用される。
【００４６】
同期検出回路１４は、制御スロットの同期ワードを検出し、同期ワードを検出したことを示す同期ワード検出信号をピークレベル値保持回路１２へ出力する。
【００４７】
ＡＧＣアンプ１５は、ピークレベル値決定レジスタ１３に書き込まれているピークレベル値に対応する電圧をＡＧＣ制御電圧とし、該ＡＧＣ制御電圧に基づく自動利得制御を行う。つまり、ＡＧＣ制御電圧の電圧値はピークレベル値（ピーク電圧値）となる。
【００４８】
具体的には、ＡＧＣアンプ１５は、制御スロットの無変調信号区間以降に変調信号を受信したときは、ピークレベル値決定レジスタ１３に書き込まれているピークレベル値に対応するＡＧＣ制御電圧に基づく自動利得制御を、通信が終了するまで継続する。
【００４９】
第１の実施形態では、ピークレベル値決定レジスタ１３、同期検出回路１４及びＡＧＣアンプ１５は、上述した制御手段の機能を果たすようになっている。
【００５０】
すなわち、制御手段は、制御スロットの無変調信号区間以降に変調信号を受信したときは、ピークレベル値保持回路１２によって保持されているピークレベル値、すなわちピークレベル値決定レジスタ１３に書き込まれているピークレベル値に対応する電圧をＡＧＣ制御電圧とし、該ＡＧＣ制御電圧に基づく自動利得制御を通信が終了するまで継続する。
【００５１】
（Ａ−２）第１の実施形態の動作
次に、第１の実施形態に係るＡＧＣ回路によるＡＧＣ制御処理について、図３〜図５を参照して説明する。
【００５２】
図３は、そのＡＧＣ制御処理の処理手順（その１）を示すフローチャートであり、図４は、そのＡＧＣ制御処理の処理手順（その２）を示すフローチャートであり、図５は、そのＡＧＣ制御処理を説明する図である。
【００５３】
図３に示すように、ピーク電圧検出回路１１が、管理局からの電波を受信する前においても、受信ＩＦ部３から出力された受信信号（受信ＩＦ信号）のピークレベルを検出すると（ステップＳ１０１）、ピーク電圧検出回路１１は、検出したピークレベル値（ピーク電圧値）をピークレベル値保持回路１２に向けて出力する。
【００５４】
ピークレベル値保持回路１２は、入力されたピークレベル値（ピーク電圧値）を、自己の保持部（図示せず）に保持すると共に（ステップＳ１０２）、ピークレベル値決定レジスタ１３に書き込む（ステップＳ１０３）。
【００５５】
管理局からの電波つまりフレームに基づく信号をＡＧＣ回路１０が受信するまで（ステップＳ１０４「否定」）、上述したステップＳ１０１からステップＳ１０３が繰り返される。
【００５６】
そして、フレームに基づく信号をＡＧＣ回路１０が受信すると（ステップＳ１０４「肯定」）、ＡＧＣ回路１０は、受信したフレームに含まれる制御スロットあるいは通信スロットのいずれかを受信する。
【００５７】
ここで、第１番目（最初）のフレームの場合には制御スロットが受信され、場合によっては、第２番目のフレームにおいても制御スロットが受信されることがある（ステップＳ１０５「肯定」）。制御スロットでない場合は、通信スロットが受信される（ステップＳ１０５「否定」）。
【００５８】
なお、第２番目以降のフレームにおいて制御スロットあるいは通信スロットの何れを受信すればよいかは、第１番目のフレームの制御用データに制御スロットあるいは通信スロットの何れを受信すべきかを示す情報が記述されているので、その情報を参照することで知ることができる。
【００５９】
さて、制御スロットを受信したＡＧＣ回路１０は、その制御スロットの前半に位置する無変調信号を受信し（ステップＳ１０６）、上記ステップＳ１０１〜Ｓ１０３と同様の処理を実行する（ステップＳ１０７〜Ｓ１０９、図５のＰ１参照）。この場合は、管理局からの電波に関わる受信信号のピークレベルの検出処理（ピーク電圧検出処理）が実施されていることになる。
【００６０】
そして、ＡＧＣ回路１０では、ＡＧＣアンプ１５は、ピークレベル値決定レジスタ１３から出力されるピークレベル値（ピーク電圧値）に対応する電圧をＡＧＣ制御電圧とすると共に、受信ＩＦ部３からの無変調信号を、当該ＡＧＣ制御電圧に応じた増幅利得で増幅し、これを出力する。このようなＡＧＣ制御が、同期検出回路１４によって同期ワードが検出されるまで継続される。
【００６１】
ＡＧＣアンプ１５からの出力信号が復調部５及び同期検出回路１４に入力されるので、同期検出回路１４は、入力されたＡＧＣアンプ１５からの出力信号の中から制御スロットの同期ワードを検出した場合には（ステップＳ１１０「肯定」、図５のＰ２参照）、該同期ワードを検出した旨を示す同期ワード検出信号をピークレベル値保持回路１２へ出力する。なお、ＡＧＣ回路１０は、同期ワードが検出されたときに、制御スロットを受信したことを認識する。
【００６２】
同期ワード検出信号を受け取ったピークレベル値保持回路１２では、自己の保持部(図示せず）に保持されている複数のピークレベル値の中から、上記同期ワード検出信号を受け取った時点から一定時間Ｔ前又は一定時間Ｔ前に相当する時間に保持されたピークレベル値を、ピークレベル値決定レジスタ１３に書き込むと共に（ステップＳ１１１、図５のＰ３参照）、この時点でピークレベル値決定レジスタ１３へのピークレベル値の書き込みを停止する（ステップＳ１１２）。
【００６３】
そして、ＡＧＣアンプ１５は、ピークレベル値決定レジスタ１３から出力されるピークレベル値に対応する電圧をＡＧＣ制御電圧例えばＡＧＣ制御電圧ＶP1として決定すると共に（ステップＳ１１３、図５のＰ４参照）、ピーク電圧検出回路１１及びピークレベル値保持回路１２はそれぞれ自己の内容をリセットする（ステップＳ１１４、図５のＰ３参照）。
【００６４】
なお、ピークレベル値保持回路１２が、取得した同期ワード検出信号をトリガに、自己が保持しているピークレベル値をピークレベル値決定レジスタ１３に書き込んだ後、ピーク電圧検出回路１１及びピークレベル値保持回路１２がそれぞれ自己の内容をリセットするようにしているのは、次の理由からである。
【００６５】
すなわち、制御スロットは１フレームのみで終了するとは限らず、次のフレームでも通信スロットに入らず、制御スロットの場合も有り得るので、次回の制御スロットに関して、受信ＩＦ部３からの受信ＩＦ信号のピークレベルを検出するためである。
【００６６】
ところで、ステップＳ１１４を終了した場合、ＡＧＣアンプ１５は、図４に示すように、受信ＩＦ部３からの受信ＩＦ信号つまり制御用データ（変調信号）を、ステップＳ１１３で決定されたＡＧＣ制御電圧例えばＡＧＣ制御電圧ＶP1に応じた増幅利得で増幅し、出力する（ステップＳ１１５、図５のＰ５参照）。
【００６７】
次に、ＡＧＣ回路１０は、現在の制御スロットの終了位置を示す信号（スロット終了位置信号）を基に、当該制御スロットに対するＡＧＣ制御は終了したか否か、すなわち現在の制御スロットの制御用データ（変調信号）に対するＡＧＣ制御が終了したか否かを判断し（ステップＳ１１６）、この判断した結果、その制御用データに対するＡＧＣ制御が必要である場合にはステップＳ１１５に戻り、一方、制御用データに対するＡＧＣ制御を終了した場合は、図３に示す処理手順のステップＳ１０４に戻る。
【００６８】
ＡＧＣ回路１０は、上述したようにして今回のフレームの制御スロットに対するＡＧＣ制御が終了した場合には、次回のフレームを受信し、これに対するＡＧＣ制御を実施することになるが、この場合のステップＳ１０５においては、当該フレーム内の制御スロットを受信する場合と、当該フレーム内の通信スロットを受信する場合とがある。
【００６９】
ここで、制御スロットが受信される場合（ステップＳ１０５「肯定」）はステップＳ１０６に進む。この場合、ＡＧＣ回路１０では、次回のフレームにおいても、同期検出回路１４が制御スロットの同期ワードを検出し、ピークレベル値保持回路１２がその同期ワード検出信号を取得したら、新たなピークレベル値をピークレベル値決定レジスタ１３に書き込み、さらにＡＧＣアンプ１５がピークレベル値決定レジスタ１３から出力されるピークレベル値に対応する電圧をＡＧＣ制御電圧として使用することになる。
【００７０】
これに対し、通信スロットが取得される場合（ステップＳ１０５「否定」）は、図４に示すように、ＡＧＣアンプ１５が、受信ＩＦ部３からの受信ＩＦ信号つまり通信データ（変調信号）を、ステップＳ１１３で決定されたＡＧＣ制御電圧例えばＡＧＣ制御電圧ＶP1に応じた増幅利得で増幅し、出力する（ステップＳ１１７、図５のＰ６参照）。
【００７１】
次に、ＡＧＣ回路１０は、現在の通信スロットの終了位置を示す信号（スロット終了位置信号）を基に、当該通信スロットに対するＡＧＣ制御は終了したか否か、すなわち現在の通信スロットの通信データ（変調信号）に対するＡＧＣ制御が終了したか否かを判断し（ステップＳ１１８）、この判断した結果、その通信データに対するＡＧＣ制御が必要である場合にはステップＳ１１７に戻り、一方、通信データに対するＡＧＣ制御を終了した場合は、図３に示す処理手順のステップＳ１０４に戻る。
【００７２】
上述したように、第１の実施形態に係るＡＧＣ制御方法では、同期ワードが検出された以降、全ての受信信号（受信ＩＦ信号）、すなわち制御スロットの制御用データ（変調信号）、及び次回のフレーム以降で通信スロット（変調信号）に移行して無線通信が始まった場合であっても、一度決定されたＡＧＣ制御電圧（ＡＧＣアンプの制御電圧）を用いてＡＧＣ制御が行われることになる。
【００７３】
また、受信ＩＦ信号のピークレベル値（電圧ピーク値）が検出され、そのピークレベル値の電圧をそのままＡＧＣ制御電圧にするのみであるため、ＡＧＣアンプ１５は、瞬時にＡＧＣの制御がかかり、高速で安定することができる。
【００７４】
（Ａ−３）第１の実施形態の効果
以上説明したように、第１の実施形態によれば、次の（１）〜（６）の各効果を奏することができる。
【００７５】
（１）無変調信号のピークサーチは、検波速度が高速であるため、高速にＡＧＣ制御を行うことができ、バースト通信の場合であっても、復調部に安定したレベルの信号の供給が可能である。
【００７６】
（２）ＡＧＣ制御電圧は、無変調信号の受信の際に決定され、そのときのピークレベル値で固定されるため、ＡＧＣ制御電圧は、データに応じて受信レベル変動の起きる変調信号を受信した場合であっても、その受信レベル変動に影響されることはない。
【００７７】
（３）電圧検出がレベル一定の無変調信号でピークサーチを行うため、レベル検出値が正確である。
【００７８】
（４）従来の技術では難易度が高いとされている「ＡＧＣの高速引き込みとＡＧＣの低速引き込みとの切り替え処理」、を無くすことができるため、ＡＧＣ回路の実現が容易でかつ簡単な構成で済む。
【００７９】
（５）「ＡＧＣの高速引き込みとＡＧＣの低速引き込みとを切り替える」という切り替え方式によるＡＧＣ制御を実施していないため、切り替え時に発生しやすい「瞬断による復調データエラー」、を無くすことができる。
【００８０】
（６）スロット内の変調信号に対するＡＧＣゲインを固定にする方式のため、従来のＡＧＣ回路の如くフィードバック方式で頻繁に発生していたＡＧＣアンプの発振を、気にする必要がなくなる。
【００８１】
（Ｂ）第２の実施形態
（Ｂ−１）第２の実施形態の構成
図６は第２の実施形態に係るＡＧＣ回路の構成を示している。
【００８２】
この図６に示したＡＧＣ回路は、図１に示した第１の実施形態のＡＧＣ回路の構成において、受信レベル移動平均回路２１、平均レベル値保持回路２２、スロット開始・終了位置演算回路２３、スロット番号・終話信号検出回路２４及びスイッチ部２５を追加した構成になっている。なお、図６において、図１に示した構成要素と同様の機能を果たす部分には同一の符号を付している。
【００８３】
図６において、受信ＩＦ部３から出力される受信ＩＦ信号は、ＡＧＣアンプ１５、ピーク電圧検出回路１１及び受信レベル移動平均回路２１に入力される。
【００８４】
ＡＧＣアンプ１５から出力される出力信号は、同期検出回路１４、スロット番号・終話信号検出回路２４及び復調部５に入力される。
【００８５】
同期検出回路１４から出力される出力信号は、ピークレベル値保持回路１２及びスロット開始・終了位置演算回路２３に入力される。
【００８６】
スロット番号・終話信号検出回路２４から出力される出力信号は、スロット開始・終了位置演算回路２３及びスイッチ部２５に入力される。
【００８７】
スロット開始・終了位置演算回路２３から出力される出力信号は、受信レベル移動平均回路２１及び平均レベル値保持回路２２に入力される。
【００８８】
受信レベル移動平均回路（算出手段）２１は、受信したフレームの制御スロットの無変調信号区間以降に変調信号を受信するときは、当該変調信号を受信した時点から、後述するスロット開始・終了位置演算回路２３からのスロット終了位置信号に基づく当該制御スロットの終了時点（スロット終了位置）までの期間の、当該変調信号の受信レベルの移動平均値（以下「受信レベル移動平均値」という。）を算出する。
【００８９】
また、受信レベル移動平均回路２１は、受信した今回のフレームの通信スロットに関し、スロット開始・終了位置演算回路２３からのスロット開始位置信号及びスロット終了位置信号を基に、当該フレームの通信スロットの開始時点（スロット開始位置）から終了時点（スロット終了位置）までの期間の、受信ＩＦ信号の受信レベルの移動平均値（受信レベル移動平均値）を算出する。
【００９０】
平均レベル値保持回路（移動平均値保持手段）２２は、受信レベル移動平均回路２１によって算出された受信レベル移動平均値を保持する。
【００９１】
スロット開始・終了位置演算回路２３は、同期検出回路１４からの同期ワード検出信号を基に、制御スロットのスロット終了位置を演算し、このスロット終了位置を示すスロット終了位置信号を、受信レベル移動平均回路２１及び平均レベル値保持回路２２に通知する。
【００９２】
また、スロット開始・終了位置演算回路２３は、後述するスロット番号・終話信号検出回路２４からのスロット番号（通信スロットを示しているスロット番号）を基に、通信スロットの開始位置（スロット開始位置）及び当該通信スロットの終了位置（スロット終了位置）を演算する。これらの位置を示すスロット開始位置信号及びスロット終了位置信号は、受信レベル移動平均回路２１及び平均レベル値保持回路２２に入力される。
【００９３】
スロット番号・終話信号検出回路２４は、ＡＧＣアンプ１５からの出力信号から、スロット番号及び終話信号を検出し、これらの情報をスロット開始・終了位置演算回路２３及びスイッチ部２５に通知する。
【００９４】
スイッチ部２５は、第１の接点２５ａと第２の接点２５ｂとスイッチＳＷとを有し、スロット番号・終話信号検出回路２４からの出力信号を基に、スイッチＳＷを第１の接点２５ａ又は第２の接点２５ｂに切り替える。初期状態ではスイッチＳＷは第１の接点２５ａと接触されるようになっている。
【００９５】
そして、スイッチＳＷが第１の接点２５ａと接触しているときは、ピークレベル値決定レジスタ１３に書き込まれている値（ピークレベル値）に基づく電圧（ＡＧＣ制御電圧）が、ＡＧＣアンプ１５に供給されるようになっている。一方、スイッチＳＷが第２の接点２５ｂと接触しているときは、平均レベル値保持回路２２に保持されている値（受信レベル移動平均値）に基づく電圧（ＡＧＣ制御電圧）がＡＧＣアンプ１５に供給されるようになっている。
【００９６】
第２の実施形態では、ピークレベル値決定レジスタ１３、同期検出回路１４、スロット開始・終了位置演算回路２３、スロット番号・終話信号検出回路２４、スイッチ部２５及びＡＧＣアンプ１５が、上述した制御手段の機能を果たすようになっている。
【００９７】
すなわち、制御手段は、今回のフレームの制御スロットに続いて、次回のフレームで通信スロットを受信する場合、当該通信スロットの開始時点から終了時点までの期間については、平均レベル値保持回路２２によって保持されている移動平均値（制御スロットの制御用データに関わる受信レベルの移動平均値）に対応する電圧をＡＧＣ制御電圧とし、該ＡＧＣ制御電圧に基づく自動利得制御を行う。
【００９８】
また、制御手段は、今回のフレームの通信スロットに続いて、受信すべき次回のフレームの通信スロットに関しては、当該通信スロットの開始時点から終了時点までの期間については、平均レベル値保持回路２２によって保持されている移動平均値（今回の通信スロットの通信データに関わる受信レベルの移動平均値）に対応する電圧をＡＧＣ制御電圧とし、該ＡＧＣ制御電圧に基づく自動利得制御を行う。
【００９９】
（Ｂ−２）第２の実施形態の動作
次に、第２の実施形態に係るＡＧＣ回路によるＡＧＣ制御処理について、図７〜図１２を参照して説明する。
【０１００】
図７は、そのＡＧＣ制御処理の処理手順（その１）を示すフローチャートであり、図８は、そのＡＧＣ制御処理の処理手順（その２）を示すフローチャートであり、図９は、受信レベル移動平均処理（制御データに関わる処理）の処理手順を示すフローチャートであり、図１０は、受信レベル移動平均処理（通信スロット(通信データ）に関わる処理）の処理手順を示すフローチャートであり、図１１は、そのＡＧＣ制御処理（制御スロットに対する処理）を説明する図であり、図１１は、そのＡＧＣ制御処理（通信スロットに対する処理）を説明する図である。
【０１０１】
さて、ＡＧＣ回路１０では、図７に示すように、スイッチ部２５が初期設定として、スイッチＳＷを第１の接点２５ａに設定（接触）させ（ステップＳ２０１）、その後、図３に示した第１の実施形態の処理手順のステップＳ１０１〜Ｓ１１４と同様の処理を実施する（ステップＳ２０２〜Ｓ２１５、図１１のＰ１１〜Ｐ１４参照）。
【０１０２】
この第２の実施形態では、同期検出回路１４が、ＡＧＣアンプ１５からの出力信号から同期ワードを検出し、同期ワードを検出したことを示す同期ワード検出信号をピークレベル値保持回路１２及びスロット開始・終了位置演算回路２３に向けて出力するようになっているので（ステップＳ２１１「肯定」）、ＡＧＣ回路１０では、ステップＳ２１２以降の処理と並行して、上記同期ワード検出信号をスロット開始・終了位置演算回路２３が受信した場合に、受信レベル移動平均処理が実行される（ステップＳ２１６）。このステップＳ２１６の受信レベル移動平均処理については後述する。
【０１０３】
そして、ステップＳ２１５を終了した場合、ＡＧＣ回路１０では、図８に示すように、ＡＧＣアンプ１５は、受信ＩＦ部３からの受信ＩＦ信号つまり制御用データ（変調信号）を、ステップＳ２１４で決定されたＡＧＣ制御電圧例えばＡＧＣ制御電圧ＶP1に応じた増幅利得で増幅し、出力する（ステップＳ２１７、図１１のＰ１５参照）。
【０１０４】
ＡＧＣ回路１０は、現在の制御スロットの終了位置を示す信号（スロット終了位置信号）を基に、当該制御スロットに対するＡＧＣ制御が終了するまで、すなわち現在の制御スロットの制御用データ（変調信号）に対するＡＧＣ制御が終了するまで（ステップＳ２１８）、ステップＳ２１７の処理を実施する。その制御用データに対するＡＧＣ制御が終了した場合（ステップＳ２１８「肯定」）は、図７に示す処理手順のステップＳ２０５に戻る。
【０１０５】
ここで、ステップＳ２１６の受信レベル移動平均処理について、図９を参照して説明する。
【０１０６】
同期検出回路１４からの同期ワード検出信号を受信したスロット開始・終了位置演算回路２３が、その旨を受信レベル移動平均回路２１に通知すると、受信レベル移動平均回路２１は、図９に示すように、自己の設定内容をリセットし（ステップＳ３０１）、リセットした時点から制御スロットの後半分の制御用データ（変調信号）についての受信レベルの移動平均値を算出する動作を開始する（ステップＳ３０２）。
【０１０７】
すなわち、受信レベル移動平均回路２１は、同期ワード検出信号を受信した時点つまり同期検出回路１４によって同期ワードが検出された位置を制御用データの先頭と認識して、この制御用データ（変調信号）の先頭から、当該変調信号の受信レベル移動平均値を算出する動作を開始することになる。
【０１０８】
また、スロット開始・終了位置演算回路２３は、受信した同期ワード検出信号を基に、制御スロットのスロット終了位置を演算し、このスロット終了位置を示すスロット終了位置信号を、受信レベル移動平均回路２１及び平均レベル値保持回路２２に通知する。
【０１０９】
すなわち、スロット開始・終了位置演算回路２３は、受信した同期ワード検出信号を基に、同期ワードが検出された位置から、何ビット前がスロットの先頭であるか、また何ビット後ろがスロットの最後かを演算、すなわち、スロット開始位置及びスロット終了位置を演算することができる。この場合は、スロット終了位置が演算され、これが受信レベル移動平均回路２１に通知される。
【０１１０】
そして、制御スロット後半の制御用データの先頭から受信レベル移動平均値を算出している受信レベル移動平均回路２１は、スロット開始・終了位置演算回路２３から通知されるスロット終了位置信号を受信するまでの期間の変調信号（受信ＩＦ信号）の受信レベル移動平均値例えば受信レベル移動平均値ＶP2を算出し（ステップＳ３０３、図１１のＰ１６参照）、そのスロット終了位置信号を受信した場合は、その算出処理動作を停止し（ステップＳ３０４、図１１のＰ１７参照）する。
【０１１１】
次に、受信レベル移動平均回路２１は、算出した受信レベル移動平均値ＶP2（制御用データの部分のみの受信レベル移動平均値）を平均レベル値保持回路２２に保持させる（ステップＳ３０５、図１１のＰ１８参照）。
【０１１２】
ところで、ＡＧＣ回路１０は、今回のフレームの制御スロットに対するＡＧＣ制御が終了した場合には、次回のフレームを受信し、これに対するＡＧＣ制御を実施することになるが、この場合のステップＳ２０６においては、当該フレーム内の制御スロットを受信する場合と、当該フレーム内の通信スロットを受信する場合とがある。
【０１１３】
これらのスロットのうち何れのスロットを受信すべきか（何番目のスロットを受信すべきか）を示す情報（以下「スロット番号情報」という。）は、今回の制御スロット内の後半の制御用データの中に書き込まれているので、ＡＧＣ回路１０では、スロット番号・終話信号検出回路２４が、ＡＧＣアンプ１５の出力信号に含まれている上記スロット番号情報を検出し、次回のフレームで何番目のスロットを受信すれば良いかを知る。
【０１１４】
スロット番号情報が「１」を示す旨の場合には次回のフレームでは制御スロットを受信し、スロット番号情報が「２〜４」を示す旨の場合には次回のフレームでは通信スロットを受信することを意味する。
【０１１５】
最初に制御スロット（最初のフレームの制御スロット）を受信したときに、スロット番号・終話信号検出回路２４からの出力信号が「１」を示す旨の信号の場合は、次回のフレームでは制御スロットを受信することになるので、ＡＧＣ回路１０においては、スイッチ部２５がスイッチＳＷを第１の接点２５ａに接触した状態のままで、ＡＧＣ制御を実施することになる。
【０１１６】
従って、ステップＳ２０６において制御スロットが受信される場合（図７のステップＳ２０６「肯定」）にはステップＳ２０７に進む。この場合、ＡＧＣ回路１０では、次回のフレームにおいても、同期検出回路１４が制御スロットの同期ワードを検出し、ピークレベル値保持回路１２がその同期ワード検出信号を取得したら、新たなピークレベル値をピークレベル値決定レジスタ１３に書き込み、さらにＡＧＣアンプ１５がピークレベル値決定レジスタ１３から出力されるピークレベル値に対応する電圧をＡＧＣ制御電圧として使用することになる。
【０１１７】
これに対し、スロット番号・終話信号検出回路２４からの出力信号が「２〜４」を示す旨の信号であった場合は、次回のフレームでは通信スロットを受信することになる（図７のステップＳ２０７「否定」）。
【０１１８】
再度、図８を参照して説明する。ＡＧＣ回路１０では、スイッチ部２５は、スロット番号・終話信号検出回路２４からの出力信号（スロット番号情報）が「２〜４」を示す旨の信号であったときは、スイッチＳＷを第１の接点２５ａから第２の接点２５ｂに切り替える（ステップＳ２１９）。
【０１１９】
ところで、スロット開始・終了位置演算回路２３は、同期検出回路１４からの同期ワード検出信号を基に、同期ワードを検出した位置から、何ビット前がスロットの先頭、何ビット後ろがスロットの最後かを演算すると共に、スロット番号・終話信号検出回路２４からのスロット番号情報（「２〜４」を示す旨の信号）を基に、次回のスロットの開始位置はどこであるかを演算する。１スロットのビット数は決まっているため、このスロットの開始位置はスロット番号情報を基に割り出すことができる。このスロット開始位置信号は受信レベル移動平均回路２１及び平均レベル値保持回路２２に出力される。
【０１２０】
平均レベル値保持回路２２が、スロット開始・終了位置演算回路２３からのスロット開始位置信号に基づき、自己が保持している受信レベル移動平均値に対応する電圧ＶP2を出力すると、ＡＧＣ回路１０では、次回のフレームのスロット開始位置になった場合に、受信レベル移動平均値に対応する電圧ＶP2をＡＧＣ制御電圧（ＡＧＣアンプ１５の制御電圧）として決定するので、ＡＧＣアンプ１５は、ＡＧＣ制御電圧ＶP2に応じた増幅利得で増幅する（ステップＳ２２０、図１２のＰ２１、Ｐ２２参照）。
【０１２１】
この場合、制御スロットに後続して受信される通信スロットに対するＡＧＣ制御のときは、受信レベル移動平均値は、制御スロットの後半（つまり制御データの部分）で取得した受信レベル移動平均値となる。また、このＡＧＣ制御電圧ＶP2は、当該通信スロットの期間中、継続して使用される。
【０１２２】
この第２の実施形態においては、ＡＧＣ回路１０では、ステップＳ２２０の処理と並行して、受信レベル移動平均回路２１がスロット開始・終了位置演算回路２３からの出力信号を基に受信レベル移動平均処理を実行する（ステップＳ２２１）。このステップＳ２２１の受信レベル移動平均処理については後述する。
【０１２３】
ところで、ＡＧＣ回路１０は、現在の通信スロットの終了位置を示す信号（スロット終了位置信号）を基に、当該通信スロットに対するＡＧＣ制御が終了するまで、すなわち現在の通信スロットの通信データ（変調信号）に対するＡＧＣ制御が終了するまで（ステップＳ２２２）、ステップＳ２２０の処理を実施する。
【０１２４】
その通信スロットに対するＡＧＣ制御が終了した場合（ステップＳ２２２「肯定」）、スロット番号・終話信号検出回路２４は、ＡＧＣアンプ１５からの出力信号の中から終話信号を検出したか否か（通信が終了したか否か）を判断する（ステップＳ２２３）。
【０１２５】
ステップＳ２２３において、終話信号が検出されない場合には図７のステップＳ２０５に戻り、一方、終話信号が検出された場合は図７のステップＳ２０１に戻る。このステップＳ２０１においては、スイッチ部２５が、受信したスロット番号・終話信号検出回路２４からの終話信号をトリガに、スイッチＳＷを第２の接点２５ｂから第１の接点２５ａに切り替える（初期状態に設定する）。
【０１２６】
ここで、ステップＳ２２１の受信レベル移動平均処理について、図１０を参照して説明する。
【０１２７】
図１０に示すように、受信レベル移動平均回路２１は、受信したスロット開始・終了位置演算回路２３からのスロット開始位置信号を基に、自己の設定内容をリセットし（ステップＳ４０１、図１２のＰ２３参照）、スロット開始位置から、当該通信スロットの通信データ（変調信号）についての受信レベルの移動平均値（受信レベル移動平均値）を算出する動作を開始する（ステップＳ４０２、図１２のＰ２４参照）。
【０１２８】
そして、同期検出回路１４が、ＡＣＧアンプ１５からの出力信号の中から通信スロットの同期ワードを検出すると、この同期ワード検出信号をスロット開始・終了位置演算回路２３へ出力する。
【０１２９】
スロット開始・終了位置演算回路２３は、受信した同期ワード検出信号を基に、当該通信スロットのスロット終了位置を演算し、このスロット終了位置を示すスロット終了位置信号を、受信レベル移動平均回路２１及び平均レベル値保持回路２２に通知する。
【０１３０】
すなわち、スロット開始・終了位置演算回路２３は、上述したように、受信した同期ワード検出信号を基に、同期ワードが検出された位置から、何ビット前がスロットの先頭であるか、また何ビット後ろがスロットの最後かを演算、すなわち、スロット開始位置及びスロット終了位置を演算することができる。
【０１３１】
次に、受信レベル移動平均回路２１は、スロット開始位置すなわち受信レベル移動平均値の算出動作を開始した時点から、スロット開始・終了位置演算回路２３から通知されるスロット終了位置信号を受信するまでの期間の変調信号（受信ＩＦ信号）の受信レベル移動平均値例えば受信レベル移動平均値ＶP3を算出し（ステップＳ４０３、図１２のＰ２５参照）、そのスロット終了位置信号を受信した場合は、その算出処理動作を停止する（ステップＳ４０４、図１２のＰ２６参照）。
【０１３２】
続いて、受信レベル移動平均回路２１は、算出した受信レベル移動平均値ＶP3を平均レベル値保持回路２２に保持する（ステップＳ４０５、図１２のＰ２７参照）。
【０１３３】
この受信レベル移動平均値ＶP3は、当該通信スロット内の全てのデータの受信レベル移動平均値となっている。
【０１３４】
次回（例えば３回目）のフレームの通信スロットでは、平均レベル値保持回路２２に保持され、前回（例えば２回目）のフレームの通信スロットに関わる受信レベル移動平均値がＡＧＣ制御電圧として使用される。このＡＧＣ制御電圧は、当該次回の通信スロットに関しては固定となる（図１２のＰ２２参照）。また、これと同時に、図１０の受信レベル移動平均処理が実行され、該次回の通信スロットに関わる受信レベル移動平均値が求められる（図１２のＰ２５参照）。
【０１３５】
この受信レベル移動平均値は、次回（例えば４回目）のフレームの通信スロットのＡＧＣ制御電圧として使用される。
【０１３６】
以下、通信中は、図７のステップＳ２０５「肯定」、ステップＳ２０６「否定」、図８のステップＳ２１９からステップＳ２２３「否定」の処理が繰り返される。
【０１３７】
（Ｂ−３）第２の実施形態の効果
以上説明したように、第２の実施形態によれば、次の（１）〜（４）の各効果を奏することができる。
【０１３８】
（１）通信開始時の無変調信号では、高速引き込み用のＡＧＣ制御電圧を決定するに際し、受信信号のピークレベルを検索するピークサーチによる方式のため、高速にＡＧＣ（自動利得制御）を安定化させることができるので、直ちに通信を開始することができ、これにより制御データの頭切れを起こすことがない。また、通信時（変調信号）は、その変調信号の受信レベルの移動平均を算出するようにしているので、データによる受信レベル変動に影響を受けることなく、正確なＡＧＣ制御電圧を出力することができる。
【０１３９】
（２）外的要因などから、通信中の受信信号のレベル（受信レベル）が時間的に変動する場合（動的に変動する場合）であっても、その受信信号の受信レベルに追従して、ＡＧＣを最適に動作させることができるので、長時間の通信でも、復調部（ＤＥＭ部）に対して常に安定したレベルの変調信号を供給することができる。
【０１４０】
（３）高速引き込み用のＡＧＣ制御電圧は、受信信号の電圧のピークレベルを検出した結果のみに基づき決定し、一方、低速引き込み用のＡＧＣ制御電圧は、受信信号の受信レベルの移動平均を算出した結果に基づき決定するようにしているため、何れの場合においても簡易なＡＧＣ回路でＡＧＣ制御電圧を生成することができる。
【０１４１】
（４）低速引き込み用のＡＧＣ制御電圧を決定するに際し、受信信号の受信レベルの移動平均を算出する移動平均方式を採用することで、システム環境（外的な要因により、受信レベル変動が大きい環境や小さい環境）に応じて、平均するデータ数を変化させることでＡＧＣを安定させるまでの時間をいくらでも調整することができ、環境に最適なシステム動作をさせることができる。
【０１４２】
（Ｃ）他の実施形態
本発明は、管理局としての基地局（送信局）と被管理局としての移動局（受信局）とがＱＡＭ変調方式による無線通信を行う移動無線システム、管理局としての固定送信局と被管理局としての固定受信局とがＱＡＭ変調方式による無線通信を行う固定無線システムに適用するこができる。
【０１４３】
なお、本発明の無線システムにおけるデジタル変調方式は、ＱＡＭ変調方式に限定されず、振幅変化を伴うデジタル変調方式を採用している無線システムに本発明を適用することができる。
【図面の簡単な説明】
【０１４４】
【図１】第１の実施形態に係るＡＧＣ回路の構成を示す構成図である。
【図２】第１の実施形態に係るＡＧＣ回路を有する受信局の概略構成を示す構成図である。
【図３】第１の実施形態に係るＡＧＣ回路によるＡＧＣ制御処理の処理手順（その１）を示すフローチャートである。
【図４】第１の実施形態に係るＡＧＣ回路によるＡＧＣ制御処理の処理手順（その２）を示すフローチャートである。
【図５】第１の実施形態に係るＡＧＣ回路によるＡＧＣ制御処理を説明する図である。
【図６】第２の実施形態に係るＡＧＣ回路の構成を示す構成図である。
【図７】第２の実施形態に係るＡＧＣ回路によるＡＧＣ制御処理の処理手順（その１）を示すフローチャートである。
【図８】第２の実施形態に係るＡＧＣ回路によるＡＧＣ制御処理の処理手順（その２）を示すフローチャートである。
【図９】第２の実施形態に係る受信レベル移動平均処理（制御データに関わる処理）の処理手順を示すフローチャートである。
【図１０】第２の実施形態に係る受信レベル移動平均処理（通信スロット(通信データ）に関わる処理）の処理手順を示すフローチャートである。
【図１１】第２の実施形態に係るＡＧＣ回路によるＡＧＣ制御処理（制御データに関わる処理）を説明する図である。
【図１２】第２の実施形態に係るＡＧＣ回路によるＡＧＣ制御処理（通信スロットに関わる処理）を説明する図である。
【図１３】フレームのフォーマットの一例を示す図である。
【図１４】スロットのフォーマットの一例を示す図である。
【図１５】従来の無線システムの受信局の要部構成を示す構成図である。
【符号の説明】
【０１４５】
１０…ＡＧＣ回路（制御手段）、１１…ピーク電圧検出回路（検出手段）、１２…ピークレベル値保持回路（ピークレベル値保持手段）、１３…ピークレベル値決定レジスタ（制御手段）、１４…同期検出回路（制御手段）、１５…ＡＧＣアンプ（制御手段）、２１…受信レベル移動平均回路（算出手段）、２２…平均レベル値保持回路（平均レベル値保持手段）、２３…スロット開始・終了位置演算回路（制御手段）、２４…スロット番号・終話信号検出回路（制御手段）、２５…スイッチ部（制御手段）。
【図１】
2007329595.tif 000003
【図２】
2007329595.tif 000004
【図３】
2007329595.tif 000005
【図４】
2007329595.tif 000006
【図５】
2007329595.tif 000007
【図６】
2007329595.tif 000008
【図７】
2007329595.tif 000009
【図８】
2007329595.tif 000010
【図９】
2007329595.tif 000011
【図１０】
2007329595.tif 000012
【図１１】
2007329595.tif 000013
【図１２】
2007329595.tif 000014
【図１３】
2007329595.tif 000015
【図１４】
2007329595.tif 000016
【図１５】
2007329595.tif 000017